(57)【要約】【課題】構造物から突出する露出鉄筋を保護材で被う作業を簡単に行えるとともに、露出鉄筋と保護材との密着性を良くして高い防錆効果を得る。【解決手段】一端側に露出鉄筋１１を挿入するための挿入口２が形成され、他端側に内部の空気を吸引するための吸引口３が形成された筒状体４を露出鉄筋１１に被せる。挿入口２と露出鉄筋１１との隙間を密閉した後、筒状体４の内部を吸引口３から空気を吸引して減圧し、筒状体４を圧縮させて露出鉄筋１１に密着させる。吸引口３を密閉して露出鉄筋１１を保護する。【選択図】図２
2007132151.tif 000002
【特許請求の範囲】
【請求項１】
構造物から突出する露出鉄筋を保護する露出鉄筋の保護材であって、
前記露出鉄筋を被うように形成され、内部を減圧すると圧縮されて前記露出鉄筋に密着する筒状体と、
この筒状体の一端側に形成され前記露出鉄筋を挿入するための挿入口と、他端側に形成され前記筒状体の内部の空気を吸引するための吸引口と、
前記挿入口と前記露出鉄筋との隙間を密閉する挿入口密閉手段と、前記吸引口を密閉する吸引口密閉手段とを備えることを特徴とする露出鉄筋の保護材。
【請求項２】
前記挿入口密閉手段は、前記挿入口を前記露出鉄筋に締め付けて固定する留め具と、この留め具との間に前記挿入口の外周に沿って設けられる弾性材とからなることを特徴とする請求項１に記載の露出鉄筋の保護材。
【請求項３】
前記吸引口密閉手段は、空気の逆流を防止する逆止弁であることを特徴とする請求項１または２に記載の露出鉄筋の保護材。
【請求項４】
構造物から突出する露出鉄筋を保護する露出鉄筋の保護方法であって、
一端側に前記露出鉄筋を挿入するための挿入口が形成され、他端側に内部の空気を吸引するための吸引口が形成された筒状体を前記露出鉄筋に被せ、前記挿入口と前記露出鉄筋との隙間を密閉した後、
前記筒状体の内部を前記吸引口から空気を吸引して減圧し、前記筒状体を圧縮させて前記露出鉄筋に密着させ、前記吸引口を密閉して、前記露出鉄筋を保護することを特徴とする露出鉄筋の保護方法。
【発明の詳細な説明】
【技術分野】
【０００１】
本発明は、構造物から突出する露出鉄筋の保護材及びその保護方法に関する。
【背景技術】
【０００２】
例えば、鉄筋コンクリート構造物を構築する際に、工事が一時的に休止したり、工事が部分的、段階的に行われたりする場合などがある。このような場合に、定着等に必要な鉄筋の一部が構造物から突出し露出した状態で長期間存置されることがある。鉄筋は、水と酸素のある環境では錆を発生し易い。そして、外気に長期間暴露されてしまうと、工事再開時に鉄筋発錆部の検査・処置が必要となる他、露出鉄筋が錆びていると、構造物の耐久性上大きな問題となる。
【０００３】
そこで、従来、露出鉄筋に防錆剤を塗布若しくは噴霧したり、又は筒状のビニールを被せ開口部をガムテープ等で封じたりして保護を行っていた。
【０００４】
また、露出鉄筋の防錆用保護材として、熱収縮性とアルカリにより加水分解する特性とを有する合成樹脂フィルムをチューブ状に形成したものが考えられている。これは、防錆用保護材を露出鉄筋に被せた後に、所定温度に加熱すると収縮して露出鉄筋に密着し、雨水の浸入や結露水の鉄筋との接触を阻止して発錆を防止しようとするものである。そして、露出鉄筋に装着したままコンクリートを打設し、そのアルカリにより加水分解させて、その取り除き作業を省こうとするものである（例えば、特許文献１参照。）。
【特許文献１】特開２００２−６１３９２号公報
【発明の開示】
【発明が解決しようとする課題】
【０００５】
しかし、露出鉄筋への防錆剤の塗布、噴霧作業は、多大な労力が必要となる。また、筒状のビニールの開口部をガムテープ等で巻いただけでは、ビニール内に空気が残っているため、太陽光が当たるとビニールの内部の空気が暖められて内部で結露を起こす。この水分とビニール内の高温環境は、鉄筋にとって錆の発生を助長する最悪の環境となる。
【０００６】
また、フィルムを熱収縮させる保護材でも、フィルムの全面にわたって所定温度に加熱する作業が面倒である。そして、その加熱作業にムラができやすく、鉄筋との密着が不十分となりやすいため、前述した内部結露の問題が発生する。また、コンクリートを打設後も加水分解せずに鉄筋表面にフィルムが一部残存した場合、鉄筋の付着特性への影響や、コンクリート内への異物混入による耐久性上の問題も懸念される。
【０００７】
本発明の課題は、構造物から突出する露出鉄筋を保護材で被う作業を簡単に行えるようにすると共に、露出鉄筋と保護材との密着性を良くして高い防錆効果を得ることである。
【課題を解決するための手段】
【０００８】
以上の課題を解決するため、請求項１に記載の発明は、例えば図１、２に示すように、構造物１０から突出する露出鉄筋１１を保護する露出鉄筋１１の保護材１であって、前記露出鉄筋１１を被うように筒状に形成され、内部を減圧すると圧縮されて前記露出鉄筋１１に密着する筒状体４と、この筒状体４の一端側に形成され前記露出鉄筋１１を挿入するための挿入口２と、他端側に形成され前記筒状体４の内部の空気を吸引するための吸引口３と、前記挿入口２と前記露出鉄筋１１との隙間を密閉する挿入口密閉手段５と、前記吸引口３を密閉する吸引口密閉手段（逆止弁６）とを備えることを特徴とする。
【０００９】
このように、露出鉄筋１１を覆うように形成される筒状体４が、その内部を減圧すると圧縮されて露出鉄筋１１に密着することにより、鉄筋の周囲から空気を排除する。そして、挿入口密閉手段５及び吸引口密閉手段が、それぞれ挿入口２と露出鉄筋１１との隙間、及び吸引口３を密閉することにより、筒状体４の内部に空気が入らないようにする。この露出鉄筋１１を保護材１で被う作業は、従来のように塗布、噴霧又は加熱する作業のように面倒なものではなく、筒状体４の内部の空気を吸引して筒状体４の両側を密閉するのみで簡単に行うことができる。さらに、内部の空気が吸引されて筒状体４が露出鉄筋１１にムラなく完全に密着することで、内部の結露の発生を防止することができ、防錆効果を高めることができる。
【００１０】
請求項２に記載の発明は、例えば図１に示すように、請求項１に記載の露出鉄筋１１の保護材１において、前記挿入口２を前記露出鉄筋１１に締め付けて固定する留め具５ａと、この留め具５ａとの間に前記挿入口２の外周に沿って配設される弾性材５ｂとからなることを特徴とする。
【００１１】
このように、挿入口２の外周に沿って弾性材５ｂを設け、この弾性材５ｂを留め具５ａで締め付けることにより、挿入口２と露出鉄筋１１とを確実に密着させて固定することができる。したがって、筒状体４の内部の空気を吸引する際又は吸引した後に、筒状体４の内部に空気が入ることを確実に防止することができる。
【００１２】
請求項３に記載の発明は、例えば図１に示すように、請求項１または２に記載の露出鉄筋１１の保護材１において、前記吸引口密閉手段は、空気の逆流を防止する逆止弁６であることを特徴とする。
【００１３】
このように、吸引口３に逆止弁６を配設することにより、筒状体４の内部が空気を吸引し終えるとともに密閉されるため、人手による密閉作業を省くことができる。
【００１４】
請求項４に記載の発明は、例えば図２に示すように、構造物１０から突出する露出鉄筋１１を保護する露出鉄筋１１の保護方法であって、一端側に前記露出鉄筋１１を挿入するための挿入口２が形成され、他端側に内部の空気を吸引するための吸引口３が形成された筒状体４を前記露出鉄筋１１に被せ、前記挿入口２と前記露出鉄筋１１との隙間を密閉した後、前記筒状体４の内部を前記吸引口３から空気を吸引して減圧し、前記筒状体４を圧縮させて前記露出鉄筋１１に密着させ、前記吸引口３を密閉して、前記露出鉄筋１１を保護することを特徴とする。
【００１５】
このように、露出鉄筋１１に筒状体４を被せて挿入口２を密閉した状態で、筒状体４の内部の空気を吸引して筒状体４を圧縮して密着させ、吸引口３を密閉することにより、鉄筋の周囲から空気を排除し、筒状体４の内部に空気が入らないようにする。従来のように露出鉄筋１１の表面の全面に対して塗布、噴霧又は加熱する作業のような面倒な作業を行うことなく、筒状体４の内部の空気を吸引して密閉するのみの簡単な作業で行うことができる。そして、内部の空気を吸引することによって筒状体４を露出鉄筋１１にムラなく完全に密着させ、内部の結露の発生が防止され、防錆効果を高めることができる。
【発明の効果】
【００１６】
本発明によれば、構造物から突出する露出鉄筋に、筒状体を被せ内部の空気を吸引して密着させるので、簡単な作業で露出鉄筋を保護材で被うことができ、露出鉄筋と保護材との密着が良くなって高い防錆効果を得ることができる。
【発明を実施するための最良の形態】
【００１７】
以下、図を参照して本発明を実施するための最良の形態を詳細に説明する。本実施の形態は、構築途中の鉄筋コンクリート構造物１０から突出する露出鉄筋１１を保護材１で保護するものである。
【００１８】
まず、本発明に係る露出鉄筋１１の保護材１について説明する。図１に示すように、保護材１は、露出鉄筋１１を覆うように形成される筒状体４を備えている。この筒状体４の一端側に露出鉄筋１１を挿入するための挿入口２が形成され、他端側に内部の空気を吸引するための吸引口３が形成されている。さらに、保護材１は、挿入口２と露出鉄筋１１との隙間を密閉する挿入口密閉手段５と、吸引口３を密閉する吸引口密閉手段とを備えている。
【００１９】
筒状体４は、図２に示すように、内部の空気を吸引すると圧縮されて露出鉄筋１１に密着するものである。すなわち、筒状体４の材質は、その内外を通気させない気密性と、内部を減圧すると縮む圧縮性と、圧縮されると露出鉄筋１１の表面に沿って隙間をつくらない密着性を有するものである。例えば、筒状体４としては、ナイロンやポリエチレンなどの合成樹脂製のチューブなどが挙げられる。この材料は、太陽光（紫外線）や風雨等に対する耐久性にも優れている。
【００２０】
挿入口密閉手段５は、図１（ｂ）に示すように、挿入口２からの外気の流入を防いで、挿入口２の密閉状態を保つためのものである。本実施の形態では、挿入口密閉手段５は、挿入口２を露出鉄筋１１に締め付けて固定する留め具５ａと、この留め具５ａと挿入口２との間に挿入口２の外周に沿って設けられる弾性材５ｂとからなっている。
【００２１】
留め具５ａは、露出鉄筋１１の外形に対応するほぼ円形に湾曲した帯状のものである。そして、その内径を狭めて露出鉄筋１１を締付可能なものである。例えば、留め具５ａとしては、一般的に使用されているクランプなどが挙げられる。クランプは、ベース体と可動腕体の一端を軸支して連結し、ベース体の開放する他端に対して可動腕体の開放する他端をボルトなどで締め付けるものである。
【００２２】
弾性材５ｂは、留め具５ａの締め付けにより変形し、挿入口２の内面を露出鉄筋１１の表面に隙間無く密着させるものである。弾性材５ｂの材質としては、例えば、ウレタン樹脂などが挙げられる。
【００２３】
吸引口密閉手段は、図１（ａ）に示すように、吸引口３からの外気の流入を防いで、筒状体４の密閉状態を保つためのものである。本実施の形態では、吸引口密閉手段を、空気の逆流を防止する逆止弁６としている。
【００２４】
逆止弁６としては、例えば、内外の圧力差を利用して、成形品である逆止片を筒状体４の内面に設けられた頚部に嵌合するように閉じるもの、筒状体４の内面に設けられた偏平筒状の弁の互いの内面どうしが密着して閉じるものなどが挙げられる。
【００２５】
次に、上述のように構成される保護材１を用いた露出鉄筋１１の保護方法について説明する。図２に示すように、防護材の筒状体４を挿入口２側から露出鉄筋１１に被せる。
【００２６】
筒状体４を被せた後、挿入口２と露出鉄筋１１との隙間を密閉する。この密閉は、内側に弾性材５ｂを設けた留め具５ａを、挿入口２の外面に配置し、留め具５ａを締め付けて挿入口２を鉄筋に密着させ固定して行う。
【００２７】
そして、筒状体４の内部の空気を周知の吸引装置により機械的に吸引し、強制的に排出する。内部が減圧されると、筒状体４は露出鉄筋１１の表面に隙間なく密着する。
【００２８】
筒状体４が露出鉄筋１１に十分に密着したら、吸引口３を密閉する。この密閉は、吸引装置を停止すると同時に吸引口３の内側に配設された逆止弁６が働いて行われる。
【００２９】
これにより、筒状体４が露出鉄筋１１に密着して鉄筋の周囲から空気を排除し、挿入口２及び吸引口３が密閉され筒状体４の内部に空気が入らないようになる。露出鉄筋１１に被せた筒状体４の内部の空気を吸引して筒状体４の両側を密閉するのみで、露出鉄筋１１を簡単に被うことができる。また、保護材１が、風雨等によって、露出鉄筋１１から脱落するおそれもなく、損傷するのを軽減することができる。そして、筒状体４を露出鉄筋１１に完全に密着させるため、工事が再開されるまでの間、雨水の浸入や、内部の結露による水との接触を阻止し、露出鉄筋１１の発錆を確実に防止することができる。
【００３０】
そして、挿入口２の外周に沿って弾性材５ｂを留め具５ａで締め付けるため、挿入口２と露出鉄筋１１とを確実に密着させて固定することができ、筒状体４の内部の空気を吸引する際又は吸引した後に、筒状体４の内部に空気が入ることを確実に防止することができる。また、吸引口３に逆止弁６を配設しているため、筒状体４の内部が空気を吸引し終えるとともに密閉されるため、人手による密閉作業を省くことができる。
【００３１】
また、吸引口と吸引口密閉手段とを一体として構成してもよい。例えば、図３に示す他の実施の形態は、筒状体１４の端部側面に取り付けられ、中央部に筒状体１４の内部に連通する吸引口と逆止弁を備えた一体型バルブ１６としたものである。この形式であれば、筒状体１４の開口部は、挿入口２のみなり、吸引後の気密性も確保しやすくなる。
【００３２】
なお、以上の実施の形態においては、保護材１を筒状としたが、露出鉄筋１１に被せる際に筒状にできればよく、それ以外のときは扁平になっていてもよい。また、挿入口密閉手段５は、露出鉄筋１１に筒状体４を被せた後に取り付けても良いし、挿入口２の外面に予め取り付けておいてもよい。さらに、弾性材５ｂは、留め具５ａの内面側又は挿入口２の外面側に予め取り付けておいてもよい。吸引口密閉手段は、吸引口３の内面に配設されたファスナー、外側から挟むクリップなどであっても良い。
【００３３】
また、保護材１は、鉄筋の表面に節などの突起があっても、その凹凸に対応可能であることは勿論である。また、保護材１を露出鉄筋１１から取り外すには、挿入口密閉手段５を解除し、筒状体４の内部に外気を入れて行えばよい。その他、具体的な細部構造等についても適宜に変更可能であることは勿論である。
【図面の簡単な説明】
【００３４】
【図１】本発明を適用した一実施の形態の露出鉄筋の保護材の構成を示す斜視図である。
【図２】本発明を適用した一実施の形態の露出鉄筋の保護方法を説明するための断面図である。
【図３】本発明を適用した他の実施の形態を説明するための要部断面図である。
【符号の説明】
【００３５】
１  保護材
２  挿入口
３  吸引口
４、１４  筒状体
５  挿入口密閉手段
５ａ  留め具
５ｂ  弾性材
６  逆止弁（吸引口密閉手段）
１６  一体型バルブ（吸引口、吸引口密閉手段）
１０  構造物
１１  露出鉄筋
【図１】
2007132151.tif 000003
【図２】
2007132151.tif 000004
【図３】
2007132151.tif 000005